(57)【要約】【課題】開孔片の貼り付け位置を正確に設定して貼り付き漏れがないようにして、めくれを確実に防止できる構成の孔開け機構を備えたシート敷設装置を提供する。【解決手段】種子テープとポリエチレン等のシートを同時に繰り出して敷設するシート敷設装置において、保持部材に支持され、切断開孔部の上流に折り曲げ部を残してシートＳを切断する刃１１と、刃１１を支持する刃支持部１１Ａと、界面活性剤を収容したタンク２０Ａとパイプ２０Ｂにより連通され、該界面活性剤をシートＳに滴下可能な吐出管２０ｃを有する界面活性剤供給手段２０と、パイプ２０Ｂの延長方向途中で界面活性剤供給手段２０に該界面活性剤が流れる前に相当する位置に配置されている電磁弁２１とを備え、刃１１によるシートＳの押し切り位置近傍で非開孔部表面に界面活性剤を滴下することを特徴とする。【選択図】図２
2010158187.tif 000002
【特許請求の範囲】
【請求項１】
種子テープと樹脂シートを同時に繰り出して敷設するシート敷設装置において、
保持部材に支持され、切断開孔部の上流に折り曲げ部を残してシートを切断する刃と、
前記刃を支持する刃支持部と、
界面活性剤を収容したタンクとパイプにより連通され、該界面活性剤を前記シートに滴下可能な吐出管を有する界面活性剤供給手段と、
前記パイプの延長方向途中で前記界面活性剤供給手段に該界面活性剤が流れる前に相当する位置に配置されている電磁弁と、
前記保持部材を昇降する駆動手段と、
前記刃がシートを押し切る時にシートの逃げを防止するための受け台と、前記折り曲げ部でシートにつながる開孔片を折り返す折返し手段と、
前記界面活性剤が付着したシートに前記開孔片を接着する折返し接着手段と、
を備えて構成したシート敷設装置。
【請求項２】
前記界面活性剤供給手段の近傍には、前記シートにおける非開孔面に前記界面活性剤を塗布するブラシが設けられていることを特徴とする請求項１に記載のシート敷設装置。
【請求項３】
前記ブラシは、前記折り返された開孔片が非開孔面に接触する前に前記界面活性剤を滴下できる位置に設けられていることを特徴とする請求項２に記載のシート敷設装置。
【請求項４】
前記電磁弁は、前記保持部材とは別に位置する不動部に設けられていることを特徴とする請求項１に記載のシート敷設装置。
【発明の詳細な説明】
【技術分野】
【０００１】
本発明は、シートと種子テープを同時に敷設するシート敷設装置に関し、さらに詳しくは、発芽用開孔部をシートに形成した際に生成される開孔片の貼り付けを行う孔開け機構に関する。
【背景技術】
【０００２】
周知のように、種子テープとポリエチレンなどが用いられるシートとを敷設するシート敷設装置においては、種子テープに設けられた種子の位置に対応するシート側に発芽用の開孔を設けることが知られている（例えば、特許文献１）。
特許文献１には、シートリールから繰り出されるシートにおける種子テープの種子位置を対象として、スリット状に切り込みを入れることができる昇降可能な刃を用いて、例えば矩形の一片を残して三片を切り込み、コ字形の舌片状の切断部を設ける構成が開示されている。
【０００３】
一方、前記特許文献１に開示されているようにシートに切り込みを入れることで舌片状の切断部を設けた場合には、舌片がシートの表面と面一となったままとなり、種子の位置を覆った状態になることがある。そこで、切断後に舌片を強制的に折り返すことで確実に開孔部を形成できるようにした構成も本出願人により提案されている（例えば、特許文献２）。
特許文献２には、種子テープ上の種子の位置に合わせてシート側に舌片部を形成した後、舌片を折り返し手段を構成する折り曲げ部を通過させる過程で反転させる構成が開示されている。
【先行技術文献】
【特許文献】
【０００４】
【特許文献１】特開２００５−６５５２２号公報
【特許文献２】特開２００７−２０２５０９号公報
【発明の概要】
【発明が解決しようとする課題】
【０００５】
開孔部を形成するために折り返される舌片部は、シート側の非開孔部に重ねられ、図４に示すように、畑などの土壌にシートを敷設する際、土壌側とシートの非開孔部との間に位置するように施工される。
ところで、種子からの発芽を促す目的で開孔部を設ける場合には、単に舌片部が折り返されただけでは強風などの外力により舌片部がめくれてしまうことがある。
このため、図４に示した施工状態を得ようとしても、めくれてしまった舌片部によって開孔部が塞がれていることもあり、種子からの発芽ができなくなることがある。
【０００６】
そこで、特許文献２に開示されているように、折り返された舌片をシート側の非開孔部表面に貼り付けるようにした構成が提案されている。
特許文献２には、舌片部の貼り付けを行う構成として、シートの非開孔部表面に糊付けを行う構成が開示されている。
【０００７】
しかし、この構成の場合、糊が非開孔部表面に接触するまでに必要とされる糊支持体の移動ストロークが糊の消費量に応じて変化するため、その移動ストローク調整が難しいという問題がある。
また、糊付け位置は、穿孔位置を基準として折り返された舌片部が非開孔部表面に接触する位置であることが重要となる。このため、穿孔作業に用いられる昇降可能な刃の位置を基準として糊支持体が位置決めされる。
しかし、糊支持体が昇降可能な刃の支持部と一体化されている場合には、舌片部を有するシートが同一面において昇降方向と直角な方向に移動することから、糊支持体に対して剪断方向の力が作用する。このため、糊支持体の位置が初期段階での位置と異なってしまうこともあるが、その際の位置調整が難しいという問題がある。
【０００８】
本発明の目的は、上記従来のシート敷設装置、特に折り返された舌片状の開孔片の貼り付けにおける問題に鑑み、開孔片の貼り付け位置を正確に設定して貼り付き漏れがないようにして、めくれを確実に防止できる構成の孔開け機構を備えたシート敷設装置を提供することにある。
【課題を解決するための手段】
【０００９】
前記目的を達成するために、本発明による請求項１記載のシート敷設装置は、
種子テープと樹脂シートを同時に繰り出して敷設するシート敷設装置において、
保持部材に支持され、切断開孔部の上流に折り曲げ部を残してシートを切断する刃と、
前記刃を支持する刃支持部と、
界面活性剤を収容したタンクとパイプにより連通され、該界面活性剤を前記シートに滴下可能な吐出管を有する界面活性剤供給手段と、
前記パイプの延長方向途中で前記界面活性剤供給手段に該界面活性剤が流れる前に相当する位置に配置されている電磁弁と、
前記保持部材を昇降する駆動手段と、
前記刃がシートを押し切る時にシートの逃げを防止するための受け台と、前記折り曲げ部でシートにつながる開孔片を折り返す折返し手段と、
前記界面活性剤が付着したシートに前記開孔片を接着する折返し接着手段と、
を備えて構成されている。
【００１０】
本発明による請求項２記載のシート敷設装置は、請求項１記載の発明において、
前記界面活性剤供給手段の近傍には、前記シートにおける非開孔面に前記界面活性剤を塗布するブラシが設けられて構成されている。
【００１１】
本発明による請求項３記載のシート敷設装置は、請求項２記載の発明において、
前記ブラシは、前記折り返された開孔片が非開孔面に接触する前に前記界面活性剤を滴下できる位置に設けられて構成されている。
【００１２】
本発明による請求項４記載のシート敷設装置は、請求項１記載の発明において、
前記電磁弁は、前記保持部材とは別に位置する不動部に設けられて構成されている。
【発明の効果】
【００１３】
本発明のシート敷設装置によれば、界面活性剤供給手段を用いて界面活性剤を滴下することにより界面活性剤をシートの非開孔部表面に拡散させることができるので、界面活性剤供給手段に剪断力などを作用させることがない。この結果、不用意な力が界面活性剤の滴下位置に作用しないので、貼り付け位置に対応した界面活性剤の供給が維持できる。
【００１４】
しかも、シートの非開孔部表面に滴下される界面活性剤は、ブラシにより非開孔部表面に塗布される際にブラシ幅領域内で均されるので、液滴を均一供給することができ、液滴の均一拡散に加えて厚さのムラを防止できる。この結果、開孔片が貼り付く範囲に確実に界面活性剤を存在させて開孔片の貼り付けを効率よく行うことができる。
【図面の簡単な説明】
【００１５】
【図１】本発明の実施形態によるシート敷設装置の分解斜視図である。
【図２】図１に示したシート敷設装置の作用を説明するための図である。
【図３】本発明の実施形態によるシート敷設装置により得られるシートの状態を示す斜視図である。
【図４】シート敷設施工状態の一例を示す模式図である。
【発明を実施するための形態】
【００１６】
以下、図面により本発明を実施するための最良の形態について説明する。
図１は、本発明によるシート敷設装置１の分解斜視図であり、同図においてシート敷設装置１は、刃ユニット１０と界面活性剤供給手段２０とを備えている。
刃ユニット１０は、その詳細が本願出願人の先願である特許文献２に開示されている構成を備えており、図２を用いてその概略を説明すると次の通りである。
【００１７】
図２において、刃ユニット１０は、刃１１を有する刃支持部１１Ａと刃支持部１１Ａに設けられている刃１１により押し切られたシートＳから生成される舌片状の開孔片を折り返す折り返し部材１２とを備えている。
【００１８】
刃ユニット１０は、筐体１０Ａの内部に設けられた駆動部材１３により昇降可能な保持部材１０Ｂを備えており、保持部材１０Ｂには、リンク機構部１０Ｃを介して保持部材１０Ｂと同様に昇降可能な刃１１を備えた刃支持部１１Ａが一体化されている。
【００１９】
折り返し部材１２は、刃ユニット１０側の刃支持部１１Ａに延長方向一端が支持されており、その先端がシートＳの移動路内に進出している。
折り返し部材１２は、刃支持部１１Ａ側に掛け止められているバネ１２ＡによりシートＳに向けた移動習性をもち、刃１１により押し切られたシートＳの開孔片に接触して開孔片を折り返すとともに、折り返した開孔片をシートＳの非開孔部表面に押しつける部材として用いられる。
【００２０】
シートＳの移動路を挟んで刃１１と対向する位置には、受け台１４が設けられている。
受け台１４は、上方に向け付勢されて可撓性を有した折り返し板１４Ａを備えており、刃１１により押し切られた舌片状の開孔片が折り返し板１４Ａに乗り上げることで、図２（Ｂ）において二点鎖線で示すように、開孔片Ｓ１を反転させて折り返す部材として用いられる。
【００２１】
一方、界面活性剤供給手段２０は、図１に示すように、界面活性剤が収容されているタンク２０Ａに対してパイプ２０Ｂにより連通された吐出管２０Ｃを備えている。
【００２２】
タンク２０Ａには、界面活性剤として、シートＳを貼り付けることができる特性を有した石けん水や農業用の展着剤が収容されている。
【００２３】
パイプ２０Ｂの延長方向途中には、界面活性剤供給手段２０の吐出管２０Ｃに界面活性剤が流れる前に相当する位置に電磁弁２１が配置されている。
電磁弁２１は、後述する支持ブラケット２２により、可動部である刃ユニット１０側の保持部材１０Ｂとは別の不動部に相当する筐体１０Ａによって支持されている。
電磁弁２１は、少なくとも刃１１によるシートＳの押し切りが行われる前の時点で界面活性剤の供給が行える態位を設定されるようになっており、押し切られた開孔片の貼り付け準備を可能にしている。なお、電磁弁２１の解放時期は、刃１１の押し切りと同時であっても良い。
【００２４】
界面活性剤供給手段２０は、電磁弁２１とともに電磁弁２１が取り付けられた支持ブラケット２２により刃ユニット１０の筐体１０Ａに支持されている。これにより、可動部の稼動状態に関係なく、常に、界面活性剤の滴下位置、つまり、吐出管２０Ｃの位置を変化させないように維持することができる。
【００２５】
一方、刃ユニット１０の筐体１０Ａには、図１に示すように、界面活性剤供給手段２０の吐出管２０Ｃが位置する面と同じ面に、シートＳの表面に接触可能なブラシ２３が設けられている。
ブラシ２３は、筐体１０Ａに締結される支持ブラケット２３Ａにより筐体１０Ａに対して一体的に取り付けられている。
【００２６】
ブラシ２３は、シートＳの表面に接触することにより界面活性剤供給手段２０の吐出管２０Ｃから滴下された界面活性剤に接触することになる。そしてシートＳ表面に滴下された界面活性剤をブラシ自身の幅の領域でシートＳの表面に均しながら塗布する。
【００２７】
なお、図１において、符号３０は、刃ユニット１０を畝幅方向に移動させるために用いられるレール部材を示し、符号３１は、タンク２０Ａを刃ユニット１０と一体的に支持するための支持部材を示し、符号３２は、吐出管２０Ｃの保持用ロックバンドを示している。
【００２８】
本実施形態は以上のような構成であるから、その作用を図２に基づき説明すると次の通りである。
シートＳは受け台１４に設けられている折り返し板１４Ａを押し下げて受け台１４の上面を移動する（図２（Ａ））。
このとき、シートＳは、折り返し部材１２により押圧されることで皺の発生を抑えられて土壌表面に密着することができる。
【００２９】
シートＳに開孔片を形成する際には、図２（Ｂ）に示すように、刃ユニット１０の刃支持部１１Ａが下降してシートＳを押し切る作業が行われる。
これに先立ち、界面活性剤供給手段２０では、電磁弁２１が開放され、タンク２０Ａから界面活性剤が吐出管２０Ｃに向け流されることで吐出管２０Ｃから界面活性剤がシートＳの表面に滴下（図２（Ｂ）中、符号Ｄで示す状態）される。
シートＳの表面に滴下された界面活性剤は、シートＳが移動するのに合わせてブラシ２３の少なくとも幅領域内で均されながら均一に塗布される。
【００３０】
図２（Ｂ）に示したように、刃１１によってシートＳが押し切られると刃１１は上昇して初期位置に複動する一方、押し切られることにより舌片状をなす開孔片Ｓ１は、受け台１４側の折り返し板１４Ａに乗り上げることで反転される。
【００３１】
反転された状態の開孔片（図２（Ｃ）中、符号Ｓ１で示す部分）は、図２（Ｃ）に示すように、折り返し部材１２により押圧されることによりシートＳの非開孔部表面に押しつけられ、その位置に塗布されている界面活性剤に接触して非開孔部表面に貼り付けられる。
【００３２】
図３は、図２に示した工程によるシートＳの接合状態を示しており、図２において折り返された開孔片（便宜上、符号Ｓ１で示す）がシートＳの非開孔部表面に貼り付けられている。
【００３３】
以上のような構成においては、シートＳの開孔片を非開孔部表面に接着するために用いられる界面活性剤供給手段２０が電磁弁２１とともに刃ユニット１０内での可動部である保持部材１０Ｂとは別の不動部に取り付けられているので、可動部の機械的誤差や経時的な寸法誤差に関係なく、界面活性剤の滴下位置を適正な位置に維持することができる。
しかも、界面活性剤の滴下作業で済むことにより、移動するシートＳからの剪断力を受けることもないので、滴下位置の狂いを防止して折り返された開孔片を正確な位置で接着することができる。
さらに、滴下された界面活性剤は、単に滴下にとどまらず、ブラシによってシートＳの表面で均されながら塗布されるので、均一な液膜厚さを設定して接着強度を均一化することができる。これにより、強風などの影響による開孔片のめくれが生じにくいシート敷設装置を提供することができる。
【産業上の利用可能性】
【００３４】
本発明によるシート敷設装置は、大規模農家における播種作業の効率を大幅に改善できるため、農業分野で広く利用できる。農業機械の製造分野においても同様に利用できる。
【符号の説明】
【００３５】
１  シート敷設装置
１０  刃ユニット
１１  刃
１１Ａ  刃支持部
２０  界面活性剤供給手段
２０Ｃ  吐出管
２１  電磁弁
２３  ブラシ
Ｓ  シート
Ｓ１  開孔片
【図１】
2010158187.tif 000003
【図２】
2010158187.tif 000004
【図３】
2010158187.tif 000005
【図４】
2010158187.tif 000006